(57)【要約】【課題】  衣類などの自在に屈曲する対象物に取り付けて使用することができるコネクタ及びコネクタ組立体を提供する。【解決手段】  相手コネクタ２０と嵌合するコネクタ１０であって、ハウジング１１と、ハウジング１１に配設された導電性のコンタクト１２と、ハウジング１１に配設された磁性体からなる複数の保持部材１３と、を備えている。保持部材１３は、コネクタ１０が相手コネクタ２０と嵌合する際に相手コネクタ２０が有する磁性体２４と引き付け合って嵌合状態を保持する。ハウジング１１は、屈曲性を有し、複数の固定孔１１ｆが形成され、複数の保持部材１３は、ハウジング１１の表面１１ａに平行な長手方向（Ｘ方向）に互いに離間して配設されている。【選択図】  図１
2020030906.tif 000002
【特許請求の範囲】
【請求項１】
相手コネクタと嵌合するコネクタであって、
ハウジングと、
前記ハウジングに配設された導電性のコンタクトと、
前記ハウジングに配設された磁性体からなり、前記コネクタが前記相手コネクタと嵌合する際に前記相手コネクタが有する磁性体と引き付け合って嵌合状態を保持するための複数の保持部材と、を備え、
前記ハウジングは、屈曲性を有する絶縁体からなり、複数の固定孔が形成され、
前記コンタクトは、前記ハウジングの一方の面から他方の面に亘るように形成され、
前記複数の保持部材は、前記ハウジングの前記一方の面に平行な所定方向に互いに離間して配設される
ことを特徴とするコネクタ。
【請求項２】
前記ハウジングは、複数の前記コンタクトを備え、
前記固定孔は、前記ハウジングの前記一方の面に平行な所定方向に沿って複数の前記コンタクトを挟む位置に、前記一方の面から前記他方の面へ貫通するように形成される
ことを特徴とする請求項１に記載のコネクタ。
【請求項３】
前記固定孔は、複数の前記コンタクトの各々を挟む位置に形成される
ことを特徴とする請求項１または２に記載のコネクタ。
【請求項４】
前記ハウジングは、前記一方の面側に、前記固定孔と前記コンタクトとの間に収容凹部が形成される
ことを特徴とする請求項１乃至３のいずれか１項に記載のコネクタ。
【請求項５】
前記コンタクトは、前記反対の面側に突出する接点凸部を有する
ことを特徴とする請求項１乃至４のいずれか１項に記載のコネクタ。
【請求項６】
前記コンタクトは、前記ハウジングの前記他方の面に接点部を有し、
前記接点部は、前記コネクタが対象物の導電パターンと電気的に接続され
前記固定孔は、前記コネクタと前記対象物とを固定する固定物が挿通される
ことを特徴とする請求項１乃至５のいずれか１項に記載のコネクタ。
【請求項７】
隣接する前記コンタクトの間に設けられた前記固定孔は、他の前記固定孔に挿通された少なくとも２つの前記固定物が挿通される
ことを特徴とする請求項６に記載のコネクタ。
【請求項８】
前記固定物は、縫付糸である
ことを特徴とする請求項６または７に記載のコネクタ。
【請求項９】
請求項１〜９のいずれか１項に記載のコネクタと、前記コネクタと嵌合する相手コネクタとを備えたコネクタ組立体であって、
相手コネクタは、相手ハウジングと、前記相手ハウジングに設けられた導電性の相手コンタクトと、前記相手ハウジングに設けられた磁性体を有する相手保持部材と、を備え、
前記コネクタと前記相手コネクタが嵌合する際、前記コンタクトと前記相手コンタクトとが接触すると共に、前記保持部材と前記相手保持部材とが磁力により引き付け合って嵌合状態を保持することを特徴とするコネクタ組立体。
【発明の詳細な説明】
【技術分野】
【０００１】
本発明は、コネクタ及びコネクタ組立体に関するものである。
【背景技術】
【０００２】
コネクタ（レセプタクル）と相手コネクタ（プラグ）が磁力の作用下で引き付け合って嵌合する構成は既に知られている。具体的には、コネクタが磁性金属部材を備え、相手コネクタが磁石を備え、この磁性金属部材と磁石とが引き付け合って嵌合状態が保持されるようになっている（例えば、特許文献１参照）。
【０００３】
特許文献１には、相手コネクタとの嵌合状態を磁力によって保持するコネクタが開示されている。このコネクタは、ハウジング内に複数のコンタクトと磁性金属部材とを備えている。相手コネクタは、ハウジング内に収容されたシェルに、複数のコンタクトと、磁石とを備えている。そして、コネクタを相手コネクタと嵌合させると、コンタクト同士が接触すると共に、相手コネクタ側の磁石とコネクタ側の磁性金属部材とが磁力により引き付けられて嵌合状態が保持されるようになっている。
【先行技術文献】
【特許文献】
【０００４】
【特許文献１】特開２０１６−０４８６１４号公報
【発明の概要】
【発明が解決しようとする課題】
【０００５】
しかしながら、特許文献１に記載の従来のコネクタにあっては、ハウジング自体の剛性が高い上に、コネクタの嵌合面全体に渡って剛性の高い磁性金属部材が配置されていた。そのため、衣類などの自在に屈曲する対象物にコネクタを取り付けることが困難であった。また、仮に取り付けられたとしても、コネクタが対象物の屈曲に追従することができず、コネクタが対象物から脱落したり、コネクタが対象物を破損したり、着用している人に不快感を与えたりするなどの懸念があった。
【０００６】
本発明は、上述のような課題を解決するためになされたものであり、衣類などの自在に屈曲する対象物に取り付けて使用することができるコネクタ及びコネクタ組立体を提供することを目的とする。
【課題を解決するための手段】
【０００７】
本発明に係るコネクタは、上記目的を達成するため、相手コネクタと嵌合するコネクタであって、板状のハウジングと、前記ハウジングに配設された導電性のコンタクトと、前記ハウジングに配設された磁性体からなり、前記コネクタが前記相手コネクタと嵌合する際に前記相手コネクタが有する磁性体と引き付け合って嵌合状態を保持するための複数の保持部材と、を備え、前記ハウジングは、屈曲性を有する絶縁体からなり、複数の固定孔が形成され、前記コンタクトは、前記ハウジングの一方の面から他方の面に亘るように形成され、前記複数の保持部材は、前記ハウジングの前記一方の面に平行な所定方向に互いに離間して配設されることを特徴としている。
【０００８】
上述のように、本発明に係るコネクタのハウジングは、屈曲性を有する板状の絶縁体からなり、磁性体からなる複数の保持部材が、ハウジングの一方の面に平行な所定方向に互いに離間して配設されている。この構成により、コネクタのハウジングは、少なくともハウジングの該所定方向の両端部が互いに近づくように、自在に屈曲することができる。すなわち、保持部材がハウジングの屈曲の障害とならないようになっている。そして、本発明のコネクタのハウジングは固定孔を備えていることで、対象物に固定することが容易となっている。
【０００９】
また、本発明のコネクタの前記ハウジングは、複数の前記コンタクトを備え、前記固定孔は、前記ハウジングの前記一方の面に平行な所定方向に沿って複数の前記コンタクトを挟む位置に、前記一方の面から前記他方の面へ貫通するように形成される構成でもよい。
【００１０】
この構成により、コネクタを対象物に固定することできるため、対象物が屈曲してもコンタクトの備えられたハウジングは対象物に追従して曲がるため、コンタクトを対象物に追従させ屈曲させることができる。
【００１１】
また、本発明のコネクタの前記固定孔は、複数の前記コンタクトの各々を挟む位置に形成される構成でもよい。
【００１２】
この構成により、コンタクトの各々を個別に対象物へ固定することができるため、対象物が屈曲してもコンタクトの備えられたハウジングは、固定した部分ごとに対象物に追従して曲がるため、屈曲した状態でもコンタクトと対象物との間を確実に導通させることができる。
【００１３】
また、本発明のコネクタの前記ハウジングは、前記一方の面側に、前記固定孔と前記コンタクトとの間に収容凹部が形成される構成でもよい。
【００１４】
この構成により、固定孔に固定物を挿通させてコネクタを対象物に固定する際に、ハウジングの表面側の固定物を収容凹部に収容することができるため、ハウジングの表面側に固定物が突出することを抑制できる。そのため、コネクタは、相手コネクタを嵌合しても、コネクタと相手コネクタの間で固定物が干渉することがなく嵌合状態の姿勢が安定するので、安定した電気的な接続をさせることができる
【００１５】
また、本発明のコネクタの前記コンタクトは、前記反対の面側に突出する接点凸部を有する構成でもよい。
【００１６】
この構成により、コンタクトと対象物に配線された導電パターンとを電気的に接続する際に、直接に電気的な接続をすることができるため、コンタクトと導電パターンとを接続するための、はんだや、導電性接着剤などの、導通部材が不要であり、組立工数の削減と、部品点数の削減による費用の削減になる。
【００１７】
また、本発明のコネクタの前記コンタクトは、前記ハウジングの前記他方の面に接点部を有し、前記接点部は、前記コネクタが対象物の導電パターンと電気的に接続され前記固定孔は、前記コネクタと前記対象物とを固定する固定物が挿通される構成でもよい。
【００１８】
この構成により、コネクタを対象物へ固定する際に固定孔の大きさ、間隔に適応する固定物を使うことで、接着剤などを使わずに容易にコネクタを対象物に固定することができる。
【００１９】
また、本発明のコネクタの隣接する前記コンタクトの間に設けられた前記固定孔は、他の前記固定孔に挿通された少なくとも２つの前記固定物が挿通される構成でもよい。
【００２０】
この構成により、固定物を挿通させる固定孔を複数の固定物で共用するため、ハウジングに設ける固定孔の数が増える事を抑制し、コネクタの大きさを小型化することができる。
【００２１】
また、本発明のコネクタの前記固定物は、縫付糸である構成でもよい。
【００２２】
この構成により、間隔や大きさが異なる固定孔を備える複数種のハウジングに対して、各ハウジングの専用の固定物を用意する必要がなく、固定孔に縫付糸を通して対象物へ縫い付けることで、さまざまな固定孔をもつコネクタを対象物に固定することができる。
【００２３】
また、本発明のコネクタ組立体は、上記記載のいずれかのコネクタと、前記コネクタと嵌合する相手コネクタとを備えたコネクタ組立体であって、相手コネクタは、相手ハウジングと、前記相手ハウジングに設けられた導電性の相手コンタクトと、前記相手ハウジングに設けられた磁性体を有する相手保持部材と、を備え、前記コネクタと前記相手コネクタが嵌合する際、前記コンタクトと前記相手コンタクトとが接触すると共に、前記保持部材と前記相手保持部材とが磁力により引き付け合って嵌合状態を保持することを特徴としている。
【発明の効果】
【００２４】
本発明によれば、衣類などの自在に屈曲する対象物に容易に取り付けて使用することができるコネクタ及びコネクタ組立体を提供することができる。
【図面の簡単な説明】
【００２５】
【図１】（ａ）は本発明の第１の実施形態に係るコネクタの斜視図であり、（ｂ）はその底面側から視た斜視図である。
【図２】（ａ）は図１のコネクタの平面図であり、（ｂ）はその側面図であり、（ｃ）は底面図である。
【図３】（ａ）は図１のコネクタが衣類に縫い付けられた状態を示す説明図であり、（ｂ）は（ａ）のＡ−Ａ断面の斜視図であり、
【図４】（ａ）は図３（ａ）のＢ部分の拡大図であり、（ｂ）は衣類に縫い付けられた図１のコネクタが屈曲した状態を示す断面図である。
【図５】（ａ）は図１のコネクタから保持部材を取り除いた状態を示す斜視図であり、（ｂ）はその底面側から視た斜視図である。
【図６】（ａ）は図１の保持部材の斜視図であり、（ｂ）は（ａ）のＶ矢視側面図である。
【図７】（ａ）は本発明の第１の実施形態に係る相手コネクタの斜視図であり、（ｂ）はその底面側から視た斜視図である。
【図８】（ａ）は図７に示す相手コネクタの平面図であり、（ｂ）はその側面図である。
【図９】図７に示す相手コネクタからシェルを取り除いた状態を示す斜視図である。
【図１０】（ａ）は図９に示す相手コネクタ（シェルなし）の平面図であり、（ｂ）はその側面図である。
【図１１】（ａ）は図１０の相手保持部材の斜視図であり、（ｂ）はその底面側から視た斜視図である。
【図１２】（ａ）は図１のコネクタと図７の相手コネクタが嵌合する前の状態を示す斜視図であり、（ｂ）は両者が嵌合した状態を示す斜視図である。
【図１３】本発明の第２の実施形態に係るコネクタの斜視図である。
【図１４】（ａ）は図１３のコネクタが衣類に縫い付けられた状態を示す説明図であり、（ｂ）は（ａ）のＣ−Ｃ断面図である。
【図１５】本発明の第３の実施形態に係るコネクタの底面側から視た斜視図である。
【図１６】（ａ）は図１５のコネクタが衣類に縫い付けられた状態を示す説明図であり、（ｂ）は（ａ）のＤ−Ｄ断面図である。
【発明を実施するための形態】
【００２６】
以下、本発明の実施形態に係るコネクタについて、図面を参照して説明する。
【００２７】
＜第１の実施形態＞
図１及び図２に示すように、本発明の第１の実施形態に係るコネクタ１０は、板状のハウジング１１と、ハウジング１１に配設された導電性のコンタクト１２と、ハウジング１１に配設された磁性体からなる保持部材１３とを備えている。保持部材１３は、後で詳細に説明するように、コネクタ１０が相手コネクタ２０と嵌合する際に、磁力によって嵌合状態を保持するようになっている。
【００２８】
図３（ａ）及び図３（ｂ）は、コネクタ１０は、ハウジング１１に備えられた固定孔１１ｆに絶縁性の縫付糸１４（固定物）を挿通させて、衣類３０（対象物）に縫い付けられた図である。衣類３０には、導電性インクなどにより導電パターン３１が形成されている。衣類３０の導電パターン３１は、図示していない導電部材を介して、衣類３０に縫い付けられたコネクタ１０のコンタクト１２（接点部１２ｂ）と電気的に接続されている。導電部材とは一例として、はんだ、導電性接着剤、異方性導電フィルムなどがあげられるがこの限りではない。すなわち、衣類３０に縫い付けられたコネクタ１０が相手コネクタ２０と嵌合することにより、コネクタ１０側に接続された衣類３０の導電パターン３１と、相手コネクタ２０側に接続された配線（電線２８）とが電気的に接続されるようになっている。
【００２９】
上述したように、本実施形態ではコネクタ１０を衣類３０に縫い付ける際に、ハウジング１１の固定孔１１ｆを利用するため、針などでハウジング１１に孔を開けながら縫付糸１４を縫い付ける必要がないため、容易にコネクタ１０を衣類３０に固定することができる。また、ハウジングに針で孔を開けながら縫付糸を通すことによりハウジングに亀裂が入り破損する懸念もない。
【００３０】
本実施形態では、コネクタ１０がレセプタクルであり、相手コネクタ２０がプラグであるが、これに限定されず、コネクタ１０がプラグで、相手コネクタ２０がレセプタクルであってもよい。以下、コネクタ１０の各構成要素について説明する。
【００３１】
＜ハウジング＞
図５に示すように、ハウジング１１は、屈曲性を有する板状の絶縁体（例えば、ゴム、エラストマーなど）からなる。ハウジング１１は、板の長手方向（Ｘ方向）の両端が円弧形状になっている。これにより、コネクタ１０が衣類３０に取り付けられた状態で、ハウジング１１が衣類３０を破損し難くなっている。また、ハウジング１１は、板幅方向（Ｙ方向）の中央に長手方向（Ｘ方向）に沿って４つの貫通孔１１ｅが等間隔に形成されている。ハウジング１１の裏面１１ｂには、貫通孔１１ｅより大きな凹部１１ｄが形成されている。
【００３２】
後で説明するがハウジング１１には、コンタクト１２がハウジング１１の長手方向（Ｘ方向）に列設されている。ハウジング１１の表面１１ａ（一方の面）に平行な所定方向に沿って、コンタクト１２が列設された方向（Ｘ方向）において、各コンタクト１２の間と両側に、ハウジング１１を厚さ方向（Ｚ方向）に貫通する円筒状の固定孔１１ｆが形成されている。
【００３３】
本実施形態に係るハウジング１１は、両端が円弧形状の板状部材であるが、形状はこれに限定されない。ハウジング１１は、平面視で円形、楕円形、矩形など任意の形状を採用できる。ただし、衣類３０を傷付けないようにするために、角部のない形状とするのが好ましい。また、ハウジング１１は、必ずしも平板状にする必要はないが、対象物に縫い付ける部分の厚みは適度に薄い方が縫い付け易いので好ましい。
【００３４】
＜保持部材＞
保持部材１３は、磁性金属（例えば、磁性を有するステンレス鋼）からなる。保持部材１３は、コネクタ１０が相手コネクタ２０と嵌合する際に、相手コネクタ２０が有する磁石２４と引き付け合って嵌合状態を保持するようになっている。また、保持部材１３は、ハウジング１１よりも剛性が高く、コネクタ１０の形態を維持する機能を持っている。
【００３５】
図６に示すように、保持部材１３は、本体部１３ｃと、その下端に形成された環状凸部１３ｂとを有している。本体部１３ｃの上面１３ａは、細長く両端が丸みを帯びた形状である。本体部１３ｃの側周面の中程には、傾斜した側周面を有する環状突状部１３ｄが形成されており、保持部材１３を貫通孔１１ｅに装着した際に抜け難いようになっている。
【００３６】
図１に示すように、４つの保持部材１３が、ハウジング１１の表面１１ａ（一方の面）に平行な所定方向（図１のＸ方向）に互いに離間して配置されている。これにより、図４（ｂ）に示すように、コネクタ１０のハウジング１１は、少なくともハウジング１１の該所定方向（Ｘ方向）の両端部が互いに近づくように、自在に屈曲することができる。
【００３７】
本実施形態では、保持部材１３は磁性金属であるが、これに限定されず、磁石であってもよい。また、本実施形態では、保持部材１３の上面１３ａがハウジング１１の表面１１ａから露出しているが、これに限定されず、保持部材１３がハウジング１１内に埋設されていてもよい。また、保持部材１３の個数は４に限定されず、２以上の任意の数にし得る。
【００３８】
また、本実施形態では、保持部材１３は１列に配置されているが、２列以上の複数列であってもよい。例えば、複数の保持部材１３を図１のＸ方向に互いに離間し、かつ、Ｙ方向にも互いに離間するように、配置してもよい。また、本実施形態では複数の保持部材１３が等間隔に配置されているが、間隔を違えてもよい。
【００３９】
＜コンタクト＞
図１及び２に示すように、コンタクト１２は、ハウジング１１の表面１１ａから側面１１ｃを通って裏面１１ｂに亘る部分に、導電性インクのコーティング層として形成されている。コーティング層の厚みは、例えば３０〜５０μｍである。
【００４０】
具体的には、コンタクト１２は、ハウジング１１の表面１１ａの両側縁部に列設された６個の接点部１２ａを備える。また、ハウジング１１の裏面１１ｂには、両側縁部に列設された６個の接点部１２ｂが形成されている。そして、ハウジング１１の表面１１ａ側の各接点部１２ａは、ハウジング１１の側面１１ｃに導電性インクでコーティングされた６個の接続部１２ｃを介して、裏面１１ｂの接点部１２ｂにそれぞれ接続されている。
【００４１】
＜相手コネクタ＞
次に、コネクタ１０と嵌合する相手コネクタ２０について説明する。
図７及び図８に示すように、相手コネクタ２０は、相手ハウジング２１と、シェル２７と、相手ハウジング２１に設けられた導電性の相手コンタクト２２と、相手ハウジング２１に設けられた磁石２４からなる相手保持部材２３（図９参照）とを備えている。そして、コネクタ１０と相手コネクタ２０が嵌合する際、コンタクト１２と相手コンタクト２２とが接触すると共に、コネクタ１０の保持部材１３と相手コネクタ２０の相手保持部材２３とが磁力により引き付け合って嵌合状態を保持するようになっている。
【００４２】
図９及び図１０は、シェル２７を取り除いた状態の相手コネクタ２０を示している。ハウジング２１は、絶縁体（例えば、絶縁性樹脂）からなる容器であり、上面側が開口している。
【００４３】
相手コンタクト２２は、内部にバネが組み込まれ、コネクタ１０のコンタクト１２と弾力的に接触可能なポゴピンである。この相手コンタクト２２は、コネクタ同士の嵌合時にコネクタ１０のコンタクト１２と接続できるように、基板２６上に各列に３個ずつ、２列に配置されている。相手コンタクト２２は、基板２６に設けられた配線を介して電線２８と電気的に接続されている。
【００４４】
図１１に示すように、相手保持部材２３は、直方体形状の磁石２４と、その磁石２４の両側に取り付けられた板状のヨーク２５とを有している。ヨーク２５は、例えば磁性ステンレス鋼からなり、図中Ｚ方向に磁石２４の上面より僅かに突出しており、磁石２４の磁力を増大させるとともに、磁石２４を保護している。相手保持部材２３は、図１０に示すように、基板２６上に取り付けられた状態でハウジング２１内に収容されている。
【００４５】
図７及び図８に示すように、シェル２７は、絶縁体からなり、底板部２７ａと、その両端に設けられたガイド部２７ｂ、２７ｂとを有している。底板部２７ａは、平面視でコネクタ１０側のハウジング１１とほぼ同一の形状を有し、ガイド部２７ｂは、平面視で半円弧状に湾曲している。底板部２７ａには、相手コンタクト２２に対応して貫通孔部２７ｃが形成され、相手コンタクト２２が貫通孔部２７ｃから突出している。また、底板部２７ａには、ヨーク２５に対応して長穴２７ｄが形成され、ヨーク２５が長穴２７ｄから突出している。
【００４６】
これにより、コネクタ１０と相手コネクタ２０が嵌合するとき、コネクタ１０のハウジング１１が相手コネクタ２０のシェル２７によりガイドされて、コネクタ１０が相手コネクタ２０の適所に嵌合できるようになっている。
【００４７】
＜コネクタ組立体＞
次に、コネクタ組立体１について説明する。
図１２に示すように、コネクタ組立体１は、コネクタ１０と相手コネクタ２０とを有している。図１２（ａ）は、コネクタ１０と相手コネクタ２０が嵌合する前の状態を示す斜視図であり、図１２（ｂ）は両者が嵌合した状態を示す斜視図である。
【００４８】
図１２（ａ）に示すように、コネクタ１０の裏面側の一部が、相手コネクタ２０のシェル２７内に、そのガイド部２７ｂによりガイドされて嵌合（収容）されるようになっている。図１２（ｂ）に示すように、コネクタ１０と相手コネクタ２０が嵌合した状態で、コネクタ１０側のコンタクト１２の各接点部１２ａが、対応する相手コネクタ２０側の相手コンタクト２２の上端接点部と接触している。また、コネクタ１０側の各保持部材１３が、相手コネクタ２０側の２本のヨーク２５に跨るようにして配置される。すなわち、相手コネクタ２０の磁石２４及びヨーク２５と、コネクタ１０の保持部材１３とが１つの閉鎖した磁気回路を形成している。これにより、各保持部材１３が磁石２４及びヨーク２５に強く引き付けられるようになっている。
【００４９】
次に、作用・効果について説明する。
【００５０】
上述のように、本実施形態に係るコネクタ１０のハウジング１１は、屈曲性を有する板状の絶縁性ゴムからなり、磁性金属からなる複数の保持部材１３が、ハウジング１１の表面１１ａに平行な所定方向（図１のＸ方向）に互いに離間して配設されている。この構成により、コネクタ１０のハウジング１１は、少なくともハウジング１１の該所定方向（Ｘ方向）の両端部が互いに近づくように、自在に屈曲することができる（図４（ｂ）参照）。すなわち、保持部材１３がハウジング１１の屈曲の障害とならない。
【００５１】
そして、コネクタ１０は、ハウジング１１の固定孔１１ｆを備えたことで、衣類３０などの自在に屈曲する対象物へ、縫付糸１４による縫い付けによって確実かつ容易に取り付けることができる。ハウジング１１に傷つけることなくコネクタ１０を衣類３０に縫い付けられるため、縫い付けた部分からハウジング１１の破損が起こり難く、安定したコネクタ１０の縫い付け状態を維持することができる。
【００５２】
また、図３（ａ）に示すように、各コンタクト１２と対応する導電パターン３１との組み合わせ毎に個別に、ハウジング１１の表面１１ａ（一方の面）に平行な所定方向に沿って、コンタクト１２の少なくとも一部を縫付糸１４で覆い、ハウジング１１をコンタクト１２の付近で衣類３０の導電パターン３１の付近に、縫付糸１４で縫い付けている。これにより、衣類３０が屈曲に追従してハウジング１１が屈曲し、縫付糸１４で個別に縫い付けられたコンタクト１２は導電パターン３１に追従するため、コンタクト１２と導電パターン３１の接続が切断され難くなり、安定して電気的な接続を行うことができる。
【００５３】
また、縫付糸１４で縫い付ける隣接するコンタクト１１の間の１つの固定孔１１ｆに対し、隣接し配置される２つの縫付糸１４を挿通させていて、２つの縫付糸１４は１つの固定孔１１ｆを共用している。これにより、縫付糸１４を挿通させるための固定孔１１ｆは、各コンタクト１１に対し必ずしも２つを設ける必要はない。
【００５４】
具体的には、図４（ａ）に示すように、コンタクト１２１を挟む位置に形成された固定孔１１ｆは、固定孔１１ｆ１と固定孔１１ｆ２である。縫付糸１４１は、この２つの固定孔１１ｆ１と１１ｆ２とを挿通している。そして、コンタクト１２１に隣接するコンタクト１２２を挟む固定孔１１ｆは、固定孔１１ｆ２と固定孔１１ｆ３である。縫付糸１４２は、この２つの固定孔１１ｆ２と１１ｆ３とを挿通している。このように、縫付糸１４１と縫付糸１４２は固定孔１１ｆ２を共用して挿通しているので、固定孔１１ｆの増加を抑制し、コネクタ１０を小型化することができる。
【００５５】
また、固定孔１１ｆを円筒状にしたことにより、コネクタ１０を衣類３０に縫い付ける際に、汎用的なミシンに搭載されているボタン付け機能を使い、容易に縫い付けることができる。
【００５６】
＜第２の実施形態＞
次に、第２の実施形態について説明する。
【００５７】
第２の実施形態は、ハウジング４１に縫付糸１４が収容される収容凹部４１ｇが形成されている点で、第１の実施形態と相違している。その他の構成要素については、第１の実施形態と同一であるので適宜説明を省略する。
【００５８】
図１３及び図１４に示すように、本実施形態に係るコネクタ４０は、ハウジング４１の表面４１ａ（一方の面）において、固定孔４１ｆとコンタクト４２との間の縫付糸１４が配置される部位には、ハウジング４１の表面４１ａよりも下がった収容凹部４１ｇが設けられている。収容凹部４１ｇの深さは、縫付糸１４の直径よりも深くなっている。このように各コンタクト４２と隣接する各固定孔４１ｆの間に、収容凹部４１ｇを設けている。図１３の符号のない側においても、コンタクト、固定孔、収容凹部は図示してある通り同様の構造となっている。
【００５９】
この構造により、縫付糸１４がハウジング４１の表面４１ａから外側に突出しなくなる。つまり、コネクタ４０は、相手コネクタ２０と嵌合された際に、縫付糸１４が相手コネクタ２０に干渉しないため、相手コネクタ２０に対し傾くことなく嵌合させることができる。これにより、複数のコンタクト４２は、どれも同等に相手コンタクト２２と接触し、安定した電気的な接続を得ることができる。
【００６０】
＜第３の実施形態＞
次に第３の実施形態について説明する。
【００６１】
第３の実施形態は、コンタクト５２に導電パターン３１と接触する接点凸部５２ｄが形成されている点で、第１の実施形態と相違している。その他の構成要素については、第１の実施形態と同一であるので適宜説明を省略する。
【００６２】
図１５及び図１６に示すように、本実施形態に係るコネクタ５０は、コンタクト５２にハウジング５１の裏面５１ｂよりも突出する接点凸部５２ｄが形成されている。そして、コンタクト５２に形成された接点凸部５２ｄは、ハウジング５１の裏面５１ｂよりも外側に突出しているため、コネクタ５０を衣類３０に対し縫付糸１４で縫い付けたことにより、導電パターン３１に接触する。図１５の符号のない側においても、コンタクト、接点凸部、は図示してある通り同様の構造となっている。
【００６３】
この構造により、コネクタ５０のコンタクト５２と衣類３０の導電パターン３１との電気的な接続をコネクタ５０自体で行うことができるため、はんだや導電性接着剤などの導通部材は不要であり、衣類３０への組立工数の削減と、部品点数の削減による費用の削減をすることができる。
【００６４】
上述した本実施形態にはないが、縫付糸は導電性の糸（例えば、ステンレス鋼製のファイバーや、ポリエステル製の糸本体に細長い銅箔が巻き付けられた構造のものが、縫付糸として使用することができる。その際に、導電性インクのコーティング層で形成されたコンタクトを縫付糸と接触するように、縫付糸側にコンタクトを突出させたり、導電性インクのコーティング層を固定孔の内部まで広げたりし、さらに縫付糸を衣類の導電パターンに直接縫い付けることで、導電性の縫付糸によるコンタクトと導電パターンの電気的な接続も可能である。
【００６５】
以上説明したように、本発明は衣類などの自在に屈曲する対象物に取り付けて使用することができるという効果を有し、コネクタ及びコネクタ組立体の全般に有用である。
【符号の説明】
【００６６】
１  コネクタ組立体
１０，４０，５０  コネクタ
１１，４１，５１  ハウジング
１１ａ，４１ａ  ハウジングの表面（一方の面）
１１ｂ  ハウジングの裏面（反対の面）
１１ｃ  ハウジングの側面
１１ｄ  凹部
１１ｅ  貫通孔
１１ｆ，１１ｆ１，１１ｆ２，１１ｆ３，４１ｆ，５１ｆ  固定孔
４１ｇ  収容凹部
１２，１２１，１２２，４２，５２  コンタクト
１２ａ  接点部
１２ｂ  接点部
１２ｃ  接続部
５２ｄ  接点凸部
１３  保持部材
１３ａ  上面
１３ｂ  環状凸部
１３ｃ  本体部
１３ｄ  環状突状部
１４，１４１，１４２，  縫付糸（固定物）
２０  相手コネクタ
２１  相手ハウジング
２２  相手コンタクト
２３  相手保持部材
２４  磁石（磁性体）
２５  ヨーク
２６  基板
２７  シェル
２７ａ  底板部
２７ｂ  ガイド部
２７ｃ  貫通孔部
２７ｄ  長穴
２８  電線
３０  衣類（対象物）
３１  導電パターン
【図１】
2020030906.tif 000003
【図２】
2020030906.tif 000004
【図３】
2020030906.tif 000005
【図４】
2020030906.tif 000006
【図５】
2020030906.tif 000007
【図６】
2020030906.tif 000008
【図７】
2020030906.tif 000009
【図８】
2020030906.tif 000010
【図９】
2020030906.tif 000011
【図１０】
2020030906.tif 000012
【図１１】
2020030906.tif 000013
【図１２】
2020030906.tif 000014
【図１３】
2020030906.tif 000015
【図１４】
2020030906.tif 000016
【図１５】
2020030906.tif 000017
【図１６】
2020030906.tif 000018
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
相手コネクタと嵌合するコネクタであって、
ハウジングと、
前記ハウジングに配設された導電性のコンタクトと、
前記ハウジングに配設された磁性体からなり、前記コネクタが前記相手コネクタと嵌合する際に前記相手コネクタが有する磁性体と引き付け合って嵌合状態を保持するための複数の保持部材と、を備え、
前記ハウジングは、屈曲性を有する絶縁体からなり、固定物を挿通させて前記ハウジングを自在に屈曲する対象物に固定させる複数の固定孔が形成され、
前記コンタクトは、前記ハウジングの一方の面から他方の面に亘るように形成され、
前記複数の保持部材は、前記ハウジングの前記一方の面において平行な所定方向に互いに離間して配設され、
前記ハウジングは、前記所定方向の両端部が互いに近づくように湾曲することができる
ことを特徴とするコネクタ。
【請求項２】
前記ハウジングは、複数の前記コンタクトを備え、
前記固定孔は、前記ハウジングの前記一方の面において平行な所定方向に沿って複数の前記コンタクトを挟む位置に、前記一方の面から前記他方の面へ貫通するように形成される
ことを特徴とする請求項１に記載のコネクタ。
【請求項３】
前記固定孔は、複数の前記コンタクトの各々を挟む位置に形成される
ことを特徴とする請求項１または２に記載のコネクタ。
【請求項４】
前記ハウジングは、前記一方の面側に、前記固定孔と前記コンタクトとの間に収容凹部が形成される
ことを特徴とする請求項１乃至３のいずれか１項に記載のコネクタ。
【請求項５】
前記コンタクトは、前記反対の面側に突出する接点凸部を有する
ことを特徴とする請求項１乃至４のいずれか１項に記載のコネクタ。
【請求項６】
前記コンタクトは、前記ハウジングの前記他方の面に接点部を有し、
前記接点部は、前記コネクタが対象物の導電パターンと電気的に接続され
前記固定孔は、前記コネクタと前記対象物とを固定する固定物が挿通される
ことを特徴とする請求項１乃至５のいずれか１項に記載のコネクタ。
【請求項７】
隣接する前記コンタクトの間に設けられた前記固定孔は、他の前記固定孔に挿通された少なくとも２つの前記固定物が挿通される
ことを特徴とする請求項６に記載のコネクタ。
【請求項８】
前記固定物は、縫付糸である
ことを特徴とする請求項６または７に記載のコネクタ。
【請求項９】
請求項１〜９のいずれか１項に記載のコネクタと、前記コネクタと嵌合する相手コネクタとを備えたコネクタ組立体であって、
相手コネクタは、相手ハウジングと、前記相手ハウジングに設けられた導電性の相手コンタクトと、前記相手ハウジングに設けられた磁性体を有する相手保持部材と、を備え、
前記コネクタと前記相手コネクタが嵌合する際、前記コンタクトと前記相手コンタクトとが接触すると共に、前記保持部材と前記相手保持部材とが磁力により引き付け合って嵌合状態を保持することを特徴とするコネクタ組立体。
【手続補正２】
【補正対象書類名】明細書
【補正対象項目名】０００７
【補正方法】変更
【補正の内容】
【０００７】
本発明に係るコネクタは、上記目的を達成するため、相手コネクタと嵌合するコネクタであって、板状のハウジングと、前記ハウジングに配設された導電性のコンタクトと、前記ハウジングに配設された磁性体からなり、前記コネクタが前記相手コネクタと嵌合する際に前記相手コネクタが有する磁性体と引き付け合って嵌合状態を保持するための複数の保持部材と、を備え、前記ハウジングは、屈曲性を有する絶縁体からなり、固定物を挿通させて前記ハウジングを自在に屈曲する対象物に固定させる複数の固定孔が形成され、前記コンタクトは、前記ハウジングの一方の面から他方の面に亘るように形成され、前記複数の保持部材は、前記ハウジングの前記一方の面において平行な所定方向に互いに離間して配設され、前記ハウジングは、前記所定方向の両端部が互いに近づくように湾曲することを特徴としている。
【手続補正３】
【補正対象書類名】明細書
【補正対象項目名】０００８
【補正方法】変更
【補正の内容】
【０００８】
上述のように、本発明に係るコネクタのハウジングは、屈曲性を有する板状の絶縁体からなり、磁性体からなる複数の保持部材が、ハウジングの一方の面において平行な所定方向に互いに離間して配設されている。この構成により、コネクタのハウジングは、少なくともハウジングの該所定方向の両端部が互いに近づくように、自在に屈曲することができる。すなわち、保持部材がハウジングの屈曲の障害とならないようになっている。そして、本発明のコネクタのハウジングは固定孔を備えていることで、対象物に固定することが容易となっている。
【手続補正４】
【補正対象書類名】明細書
【補正対象項目名】０００９
【補正方法】変更
【補正の内容】
【０００９】
また、本発明のコネクタの前記ハウジングは、複数の前記コンタクトを備え、前記固定孔は、前記ハウジングの前記一方の面において平行な所定方向に沿って複数の前記コンタクトを挟む位置に、前記一方の面から前記他方の面へ貫通するように形成される構成でもよい。
【手続補正５】
【補正対象書類名】明細書
【補正対象項目名】００３２
【補正方法】変更
【補正の内容】
【００３２】
後で説明するがハウジング１１には、コンタクト１２がハウジング１１の長手方向（Ｘ方向）に列設されている。ハウジング１１の表面１１ａ（一方の面）において平行な所定方向に沿って、コンタクト１２が列設された方向（Ｘ方向）において、各コンタクト１２の間と両側に、ハウジング１１を厚さ方向（Ｚ方向）に貫通する円筒状の固定孔１１ｆが形成されている。
【手続補正６】
【補正対象書類名】明細書
【補正対象項目名】００３６
【補正方法】変更
【補正の内容】
【００３６】
図１に示すように、４つの保持部材１３が、ハウジング１１の表面１１ａ（一方の面）において平行な所定方向（図１のＸ方向）に互いに離間して配置されている。これにより、図４（ｂ）に示すように、コネクタ１０のハウジング１１は、少なくともハウジング１１の該所定方向（Ｘ方向）の両端部が互いに近づくように、自在に屈曲することができる。
【手続補正７】
【補正対象書類名】明細書
【補正対象項目名】００５０
【補正方法】変更
【補正の内容】
【００５０】
上述のように、本実施形態に係るコネクタ１０のハウジング１１は、屈曲性を有する板状の絶縁性ゴムからなり、磁性金属からなる複数の保持部材１３が、ハウジング１１の表面１１ａにおいて平行な所定方向（図１のＸ方向）に互いに離間して配設されている。この構成により、コネクタ１０のハウジング１１は、少なくともハウジング１１の該所定方向（Ｘ方向）の両端部が互いに近づくように、自在に屈曲することができる（図４（ｂ）参照）。すなわち、保持部材１３がハウジング１１の屈曲の障害とならない。
【手続補正８】
【補正対象書類名】明細書
【補正対象項目名】００５２
【補正方法】変更
【補正の内容】
【００５２】
また、図３（ａ）に示すように、各コンタクト１２と対応する導電パターン３１との組み合わせ毎に個別に、ハウジング１１の表面１１ａ（一方の面）において平行な所定方向に沿って、コンタクト１２の少なくとも一部を縫付糸１４で覆い、ハウジング１１をコンタクト１２の付近で衣類３０の導電パターン３１の付近に、縫付糸１４で縫い付けている。これにより、衣類３０が屈曲に追従してハウジング１１が屈曲し、縫付糸１４で個別に縫い付けられたコンタクト１２は導電パターン３１に追従するため、コンタクト１２と導電パターン３１の接続が切断され難くなり、安定して電気的な接続を行うことができる。